(57)【要約】【課題】雑音検出回路を合理化して集積回路としてＡＭ／ＦＭ帯の受信部を１チップで構成する場合にＩＣ製造コストを削減する。【解決手段】ＡＭ帯の放送局信号を受信時、第１，第２スイッチ３１，３２は切り替わり、中間周波増幅器／振幅制限回路２７は第２帯域フィルタ１６、ＦＭ検波器２８はゲート信号生成回路３３に接続される。ＦＭ帯の受信部の回路はＡＭ帯の放送局信号を受信時にＡＭ変調信号に重畳するパルス性雑音を検出する。ＦＭ帯の受信部において中間周波信号に変換したＡＭ変調信号を中間周波増幅器／振幅制限回路２７に入力すると、出力は周波数，振幅一定の信号になるが、パルス性雑音の重畳箇所では周波数，位相のずれが生じる。このずれ分はＡＭ帯の受信部の中間周波信号と同じ搬送波周波数を持つＦＭ検波器で検出される。ＦＭ帯の受信部の一部を用いて雑音検出し、回路を新たに付加することなく、雑音成分検出回路の合理化が可能となる。【選択図】図２
2006191430.tif 000002
【特許請求の範囲】
【請求項１】
複数の周波数を受信する複数の受信部を有する雑音除去回路付きラジオ受信機であって、受信中の周波数とは異なった周波数を受信するための受信部の一部を用いた前記受信中の周波数に含まれる雑音成分を検出する検出手段と、前記検出手段の出力に基づき前記受信中の周波数の出力信号経路を遮断する遮断手段とを備えたことを特徴とするラジオ受信機。
【請求項２】
前記検出手段は、ＡＭ帯の周波数受信時にＦＭ帯の周波数を受信するための受信部の一部を用いて、受信中の前記ＡＭ帯の周波数に含まれる雑音成分を検出することを特徴とする請求項１記載のラジオ受信機。
【請求項３】
前記複数の周波数を受信する複数の受信部は、ＡＭ帯の受信部とＦＭ帯の受信部からなり、共にスーパーヘテロダイン方式を採用し、前記ＡＭ帯と前記ＦＭ帯それぞれの検波器で処理される信号は中間周波信号であり、かつ前記中間周波信号の周波数が同じであることを特徴とする請求項１または２記載のラジオ受信機。
【請求項４】
前記検出手段の出力を受けてゲート信号を生成するゲート信号生成回路と、前記ゲート信号の入力時にＡＭ帯の検波器の出力信号経路を遮断するＡＭゲートを制御するゲート制御回路とを備えたことを特徴とする請求項１〜３のいずれか１項に記載のラジオ受信機。
【発明の詳細な説明】
【技術分野】
【０００１】
本発明は、ＡＭ帯の受信信号に混入する雑音を検出および除去するラジオ受信機に関するものである。
【背景技術】
【０００２】
ＡＭラジオ受信機において、パルス性雑音等を原因として音声信号に現れる雑音は大きな問題となっている。
【０００３】
このようなパルス性雑音としては、自動車のエンジン点火時に発生するイグニッションノイズが放送局信号に重畳することが原因となっており、ＡＭラジオ受信機で包絡線検波を行った際に可聴帯域の信号として検出され非常に耳障りとなる。特に、車載用のＡＭラジオ受信機においては、自車や他車のイグニッションノイズの他に、電装系の機械的な動作に伴って発生するノイズもアンテナを介し放送局信号に重畳されて音質に影響を与えるため、こうした外乱ノイズの影響は無視できない。
【０００４】
従来の放送局信号に重畳するパルス性雑音を検出および除去する回路を備えたＡＭラジオ受信機では、雑音検出専用の回路を設けて雑音検出を行い、その検出信号を元に雑音除去を行っている。図４は、パルス性雑音除去回路を備えた従来のＡＭラジオ受信機の中間周波信号以降の回路を示している。また、図４は従来のパルス性雑音検出回路の動作を説明するためにのみ用いるため、中間周波信号に至るまでの回路については省略している。
【０００５】
以下、ＡＭラジオ受信機に混入するパルス性雑音を除去する雑音除去回路を備えた従来のＡＭラジオ受信機の構成について図４を参照しながら説明する。
【０００６】
図４に示すＡＭラジオ受信機は、第２中間周波信号に変換されたＡＭ変調信号に帯域制限をかけて不要な信号成分を除去する第２帯域通過フィルタ１６と、第２帯域通過フィルタ１６に接続され、第２帯域通過フィルタ１６から出力された第２中間周波信号を増幅する中間周波増幅器１７と、中間周波増幅器１７に接続され、中間周波増幅器１７から出力された第２中間周波信号を包絡線検波して復調信号を出力するＡＭ検波器１８を備えている。
【０００７】
また、このＡＭラジオ受信機は雑音除去回路を構成するブロックとして、中間周波増幅器１７に接続され、中間周波増幅器１７から出力された第２中間周波信号を入力信号として包絡線検波を行うエンベロープ検波器４１と、エンベロープ検波器４１に接続され、エンベロープ検波器４１から出力された高周波の雑音成分を含む復調信号から高周波の雑音成分以外の信号を除去するＨＰＦ（ハイ・パス・フィルタ）４２と、ＨＰＦ４２に接続され、ＨＰＦ４２から出力された高周波の雑音成分を元にゲート信号を生成するゲート信号生成回路３３と、ゲート信号生成回路３３に接続され、ゲート信号生成回路３３から出力されたゲート信号を元にＡＭゲート３５の開閉を制御するゲート制御回路３４と、ゲート制御回路３４の出力信号を制御信号としてＡＭ検波器１８とＡＭ出力端子１９との間を開放，短絡するＡＭゲート３５と、ＡＭ出力端子１９に接続され、ＡＭゲート３５が開放された時に開放前の出力電圧を保持するコンデンサ３６を備える。
【０００８】
次に、以上の構成を持った雑音除去回路付きのＡＭラジオ受信機の動作について図４を参照しながら説明する。
【０００９】
まず、ＡＭ帯の放送局信号を受信時、第２中間周波信号に変換されたＡＭ変調信号は、第２帯域通過フィルタ１６で帯域制限され、中間周波増幅器１７で増幅され、ＡＭ検波器１８でＡＭ復調される。ここで、ＡＭ変調信号にパルス性雑音が重畳していない場合はＡＭ検波器１８の復調信号は雑音成分を含まないが、パルス性雑音が重畳している場合、復調信号は雑音成分を含んでいる。
【００１０】
このＡＭラジオ受信機の雑音除去回路により雑音が除去される仕組みについて説明する。ＡＭ帯の放送局信号の受信時にＡＭ変調信号にパルス性雑音が重畳する場合、ＡＭ検波器１８とエンベロープ検波器４１にはパルス性雑音を含む第２中間周波信号が入力する。この信号がエンベロープ検波器４１で検波され、搬送波が除去されるとパルス性雑音に起因する高周波の雑音を含んだ復調信号が出力される。
【００１１】
エンベロープ検波器４１の出力はＨＰＦ４２で帯域制限され、高周波の雑音成分以外が除去される。ＨＰＦ４２に接続されているゲート信号生成回路３３は、ここで検出した雑音成分を元にブランクパルス信号を含むゲート信号を生成する。ブランクパルス発生期間はパルス性雑音が発生する期間に相当する。
【００１２】
さらに、ゲート制御回路３４はゲート信号を受けてＡＭゲート３５を開放，短絡する機能を有しており、パルス性雑音の検出時にはゲート信号にブランクパルス信号がある期間だけＡＭゲート３５を開放する。これにより、パルス性雑音が検出されている期間はＡＭ検波器１８の復調信号の信号経路は遮断され、出力に影響を与えない。このＡＭゲート３５が開放されている期間、ＡＭ出力端子１９ではコンデンサ３６によりＡＭゲート３５開放前の値が保持される。
【００１３】
一方、ＡＭ変調信号にパルス性雑音が重畳しない場合には、パルス性雑音は検出されないのでブランクパルス信号は生じず、ＡＭゲート３５は短絡されてＡＭ検波器１８の復調信号がそのままＡＭ出力端子１９に出力される。
【００１４】
以上のとおり、図４の示すＡＭラジオ受信機では雑音除去回路の動作によりＡＭ復調信号からパルス性雑音に起因する雑音が除去されるため、出力端子に雑音成分を生じず、耳障りな音質が改善される。
【特許文献１】特開平９−２１４３７０号公報
【発明の開示】
【発明が解決しようとする課題】
【００１５】
しかしながら、このような構成のパルス性雑音除去回路を備えたＡＭラジオ受信機は、パルス性雑音に起因する耳障りな音質を改善しているが、次のような課題を有している。
【００１６】
例えば、ＡＭ帯の受信部とＦＭ帯の受信部とを備えたラジオ受信機において回路規模を小さく抑えたい場合には、従来のパルス性雑音除去回路付きＡＭラジオ受信機のように雑音検出専用の回路（例えば、ＨＰＦ等）を設けることは規模縮小の妨げとなる。特に、集積回路においてＡＭ／ＦＭ帯の受信部を１チップで構成する場合には、回路規模の増大がコストの増加につながることに加え、面積的な要求も厳しくなるため、できるだけ小さい規模で雑音除去回路を構成することが望ましい。
【００１７】
本発明は、前記従来技術の問題を解決することに指向するものであり、雑音検出回路の合理化により集積回路にてＡＭ／ＦＭ帯の受信部を１チップで構成する場合にＩＣ製造コストの削減を実現するラジオ受信機を提供することを目的とする。
【課題を解決するための手段】
【００１８】
前記の目的を達成するために、本発明に係るラジオ受信機は、複数の周波数を受信する複数の受信部を有する雑音除去回路付きラジオ受信機であって、受信中の周波数とは異なった周波数を受信するための受信部の一部を用いた受信中の周波数に含まれる雑音成分を検出する検出手段と、この検出手段の出力に基づき受信中の周波数の出力信号経路を遮断する遮断手段とを備えたことを特徴とする。
【００１９】
また、検出手段は、ＡＭ帯の周波数受信時にＦＭ帯の周波数を受信するための受信部の一部を用いて、受信中のＡＭ帯の周波数に含まれる雑音成分を検出すること、複数の周波数を受信する複数の受信部は、ＡＭ帯の受信部とＦＭ帯の受信部からなり、共にスーパーヘテロダイン方式を採用し、ＡＭ帯とＦＭ帯それぞれの検波器で処理される信号は中間周波信号であり、かつ中間周波信号の周波数が同じであること、さらに、検出手段の出力を受けてゲート信号を生成するゲート信号生成回路と、ゲート信号の入力時にＡＭ帯の検波器の出力信号経路を遮断するＡＭゲートを制御するゲート制御回路とを備えたことを特徴とする。
【００２０】
前記構成によれば、ＡＭ帯の周波数受信時の雑音成分を検出し除去する雑音検出回路としてＦＭ帯の受信部の一部を用いて、ＡＭ帯／ＦＭ帯の受信部を共に備えたラジオ受信機を構成する際に、雑音検出専用の回路を新たに付加することなく雑音除去回路を有するラジオ受信機を得ることができる。
【発明の効果】
【００２１】
本発明によれば、ＡＭ帯の放送局信号を受信時のパルス性雑音を除去する雑音検出回路としてＦＭ帯の受信部の一部回路を用いることにより、ＡＭ／ＦＭ帯の受信部を共に備えたラジオ受信機を構成する際に、雑音検出専用の回路を新たに付加することなく雑音除去回路を構成でき、このことから雑音検出回路を合理化してＩＣ製造コストを削減することができるという効果を奏する。
【発明を実施するための最良の形態】
【００２２】
以下、図面を参照して本発明における実施の形態を詳細に説明する。
【００２３】
図１は本発明の実施の形態におけるラジオ受信機の基本構成を示すブロック図である。ここで、前記従来例を示す図４において説明した構成部材に対応し同等機能を有するものには同一の符号を付して示す。
【００２４】
図１に示すラジオ受信機は、ＡＭ帯の受信部，ＦＭ帯の受信部を共に備え、また、図１は本発明を実施するラジオ受信機のＡＭ／ＦＭ復調動作の説明を行うためにのみ用いるため、雑音検出にかかわる回路、信号経路は省略している。
【００２５】
図１に示すラジオ受信機において、ＡＭ帯の受信部は、アンテナ１で受信したＡＭ帯の放送局信号を増幅するＲＦ増幅器１２と、ＲＦ増幅器１２に接続され、ＲＦ増幅器１２から出力されたＡＭ変調信号と局部発振器２の出力信号とを掛け合わせて第１中間周波信号に変換する第１混合器１３と、第１混合器１３に接続され、第１混合器１３から出力された第１中間周波信号から帯域制限により不要な成分を除去する第１帯域通過フィルタ１４と、第１帯域通過フィルタ１４に接続され、第１帯域通過フィルタ１４から出力された第１中間周波信号と水晶発振器３の出力信号とを掛け合わせて第２中間周波信号に変換する第２混合器１５と、第２混合器１５に接続され、第２混合器１５から出力された第２中間周波信号から帯域制限により不要な成分を除去する第２帯域通過フィルタ１６と、第２帯域通過フィルタ１６に接続され、第２帯域通過フィルタ１６から出力された第２中間周波信号を増幅する中間周波増幅器１７と、中間周波増幅器１７に接続され、中間周波増幅器１７から出力された第２中間周波信号を包絡線検波し復調信号を出力するＡＭ検波器１８と、ＡＭ検波器１８の復調信号を出力するＡＭ出力端子１９で構成される。
【００２６】
また、ＦＭ帯の受信部は、アンテナ１で受信したＦＭ帯の放送局信号を増幅するＲＦ増幅器２２と、ＲＦ増幅器２２に接続され、ＲＦ増幅器２２から出力されたＦＭ変調信号と局部発振器２の出力信号とを掛け合わせて第１中間周波信号に変換する第１混合器２３と、第１混合器２３に接続され、第１混合器２３から出力された第１中間周波信号から帯域制限により不要な成分を除去する第１帯域通過フィルタ２４と、第１帯域通過フィルタ２４に接続され、第１帯域通過フィルタ２４から出力された第１中間周波信号と水晶発振器３の出力信号とを掛け合わせて第２中間周波信号に変換する第２混合器２５と、第２混合器２５に接続され、第２混合器２５から出力された第２中間周波信号から帯域制限により不要な成分を除去する第２帯域通過フィルタ２６と、第２帯域通過フィルタ２６に接続され、第２帯域通過フィルタ２６から出力された第２中間周波信号を増幅し、振幅制限する中間周波増幅器／振幅制限回路２７と、中間周波増幅器／振幅制限回路２７に接続され、中間周波増幅器／振幅制限回路２７から出力された第２中間周波信号をＦＭ検波し復調信号を出力するＦＭ検波器２８と、ＦＭ検波器２８の復調信号を出力するＦＭ出力端子２９で構成される。
【００２７】
さらに、ＡＭ帯の受信部、ＦＭ帯の受信部に共通に用いるブロックとして、ＡＭ／ＦＭ帯の放送局信号の受信に用いるアンテナ１と、ＡＭ帯の受信部の第１混合器１３およびＦＭ帯の受信部の第１混合器２３に接続され、放送局信号を第1中間周波信号に変換する際に放送局信号と掛け合わせる発振信号を生成する局部発振器２と、ＡＭ帯の受信部の第２混合器１５およびＦＭ帯の受信部の第２混合器２５に接続され、第１中間周波信号を第２中間周波信号に変換する際に第１中間周波信号と掛け合わせる発振信号を生成する水晶発振器３を備える。
【００２８】
ここで、局部発振器２は内部に分周回路を備え、ＦＭ帯受信時とＡＭ帯受信時とで出力信号の周波数を切り替える機能を有しており、その分周回路の働きによってＦＭ帯受信時とＡＭ帯受信時とで第１中間周波信号の周波数は同じになるとする。また、水晶発振器３で掛け合わされた後の第２中間周波信号の搬送波周波数についてもＦＭ帯受信時とＡＭ帯受信時とで同じ周波数になるとする。
【００２９】
次に、本実施の形態のラジオ受信機で受信した信号が復調されるまでの流れを説明する。まず、ＡＭ帯の放送局信号を受信する場合、アンテナ１で受信した放送局信号はＲＦ増幅器１２で増幅され、第１混合器１３で局部発振器２からの局部発振信号と混合されて第１中間周波信号に変換される。第１中間周波信号は第１帯域通過フィルタ１４で帯域制限されて、第２混合器１５で水晶発振器３からの水晶発振信号と混合されて第２中間周波信号に変換される。第２中間周波信号は第２帯域通過フィルタ１６で帯域制限されて、中間周波増幅器１７で増幅された後、ＡＭ検波器１８でＡＭ復調されＡＭ出力端子１９に出力される。
【００３０】
一方、ＦＭ帯の放送局信号を受信する場合、アンテナ１で受信した放送局信号はＲＦ増幅器２２で増幅され、第１混合器２３で局部発振器２からの局部発振信号と混合されて第１中間周波信号に変換される。第１中間周波信号は第１帯域通過フィルタ２４で帯域制限されて、第２混合器２５で水晶発振器３からの水晶発振信号と混合されて第２中間周波信号に変換される。第２中間周波信号は第２帯域通過フィルタ２６で帯域制限されて、中間周波増幅器／振幅制限回路２７で増幅され、一定の振幅にそろえられた後、ＦＭ検波器２８でＦＭ復調されＦＭ出力端子２９に出力される。
【００３１】
次に、図１に示すラジオ受信機に、ＡＭ変調信号に重畳するパルス性雑音を除去するための雑音除去回路を構成した場合を図２に示す。なお、図２は本実施の形態のラジオ受信機におけるＡＭ帯の受信部の第２帯域通過フィルタ１６およびＦＭ帯の受信部の第２帯域通過フィルタ２６以降の回路を示しており、ＡＭ帯の受信部，ＦＭ帯の受信部の第２中間周波信号を生成するまでの回路は図１に示したとおりである。
【００３２】
図２に示すラジオ受信機はＡＭ受信時のパルス性雑音除去回路を構成するブロックとして、ＦＭ帯の受信部の中間周波増幅器／振幅制限回路２７とＡＭ帯の受信部の第２帯域通過フィルタ１６およびＦＭ帯の受信部の第２帯域通過フィルタ２６に接続され、選択信号（ＡＭ／ＦＭ）によりＦＭ帯の受信部の中間周波増幅器／振幅制限回路２７に入力する信号をＡＭ帯の受信部の第２帯域通過フィルタ１６の出力信号またはＦＭ帯の受信部の第２帯域通過フィルタ２６の出力信号を切り替える第１スイッチ３１と、ＦＭ検波器２８とＦＭ出力端子２９およびゲート信号生成回路３３に接続され、ＦＭ検波器２８の出力先をゲート信号生成回路３３またはＦＭ検波出力端子に切り替える第２スイッチ３２と、ＡＭ信号受信時にＦＭ検波器２８の出力を元にゲート信号を生成するゲート信号生成回路３３と、ゲート信号生成回路３３に接続され、ゲート信号生成回路３３から出力されたゲート信号を元にＡＭゲート３５の開放，短絡を制御するゲート制御回路３４と、ゲート制御回路３４の出力信号によってＡＭ検波器１８とＡＭ出力端子１９との間を開放，短絡するＡＭゲート３５と、ＡＭゲート３５に接続され、ＡＭゲート３５が開放された時にゲート開放前の出力電圧を保持するコンデンサ３６を備えている。
【００３３】
ＡＭ帯の放送局信号を受信時、第１，第２スイッチ３１，３２は図２に示すとおり切り替わり、このときＦＭ帯の受信部の中間周波増幅器／振幅制限回路２７はＡＭ帯の受信部の第２帯域フィルタ１６に接続され、ＦＭ検波器２８はゲート信号生成回路３３に接続される。これらＦＭ帯の受信部の回路はＡＭ帯の放送局信号を受信時にＡＭ変調信号に重畳するパルス性雑音を検出する用途に用いられる。
【００３４】
次に、本実施の形態に用いたパルス性雑音除去回路の動作について説明する。図３はパルス性雑音除去回路における雑音除去時の各出力信号を示した図である。まず、図２，図３を参照しながら雑音除去回路の動作について説明する。
【００３５】
ＡＭ帯の放送局信号を受信時、第２帯域通過フィルタ１６で帯域制限されたＡＭ変調信号はＡＭ帯の受信部の中間周波増幅器１７およびＦＭ帯の受信部の中間周波増幅器／振幅制限回路２７に入力する。ここで、ＡＭ帯の受信部とＦＭ帯の受信部とでは第２中間周波信号の周波数は同じであり、ＡＭ検波器１８、ＦＭ検波器２８に入力する搬送波周波数は同じである。
【００３６】
ＡＭ変調信号にパルス性雑音が重畳していない場合、ＡＭ変調信号は中間周波増幅器１７で増幅されＡＭ検波器１８で復調される。一方、パルス性雑音検出に用いるＦＭ帯の受信部の回路ではＡＭ変調信号が中間周波増幅器／振幅制限回路２７で増幅され、一定の振幅にそろえられた後、ＦＭ検波器２８でＦＭ復調される。このときＡＭ変調信号は一定周波数の信号であり、かつ中間周波増幅器／振幅制限回路２７にてＡＭ成分が除去されているため、ＦＭ検波器２８には振幅、周波数ともに一定の信号が入力されることとなり、その出力はＦＭ検波器２８の基準出力電圧となる。
【００３７】
ところが、ＡＭ変調信号にパルス性雑音が重畳している場合、中間周波増幅器１７で増幅されたＡＭ変調信号はパルス性雑音を含んでおり、この信号をＡＭ検波器１８でＡＭ検波した復調信号はパルス性雑音に起因する雑音を含んだ信号となる。一方、雑音検出に用いるＦＭ帯の受信部の各回路では図３（ａ）のようなパルス性雑音を含んだＡＭ変調信号が中間周波増幅器／振幅制限回路２７で増幅され、図３（ｂ）のような一定振幅の信号にそろえられた後にＦＭ検波器２８に入力するが、ＦＭ検波器２８の入力信号ではパルス性雑音が発生した箇所で搬送波とは位相、周波数の異なった信号が生じる。
【００３８】
ＦＭ検波器２８では、パルス性雑音が発生していない期間は振幅、周波数ともに一定の信号が入力されており、そのときの出力はＦＭ検波器２８の基準出力電圧となるが、パルス性雑音が発生している期間は入力信号に搬送波とは位相、周波数の異なる信号が生じているため、そのずれを検出した図３（ｃ）のような信号がＦＭ検波器２８から出力される。以上のとおり、パルス性雑音の検出信号を得ることができる。
【００３９】
次に、ＦＭ検波器２８から出力されたパルス性雑音の検出信号を元にして、ＡＭ復調信号からパルス性雑音が除去される仕組みについて説明する。
【００４０】
ＦＭ検波器２８から出力されたパルス性雑音の検出信号はゲート信号生成回路３３に入力する。ゲート信号生成回路３３では図３（ｃ）に示すようにＦＭ検波器２８の基準出力レベルを中心として、＋側、−側にある適当なしきい値を設定することが可能であり、ＦＭ検波器２８から出力されたパルス性雑音の検出信号がしきい値を超えたことを受けて雑音発生を検出し、図３（ｄ）のようにゲート信号にはパルス性雑音が発生している期間に相当するブランクパルス信号が生じる。ゲート信号生成回路３３から出力されたゲート信号はゲート制御回路３４に入力され、ゲート制御回路３４はゲート信号を受けてブランクパルスがある期間だけＡＭゲート３５を開放する。パルス性雑音が検出されない期間、ＡＭゲート３５は短絡されたままでありＡＭ検波器１８のＡＭ復調信号がそのまま出力されるが、パルス性雑音が検出されている期間はＡＭ検波器１８の復調信号の信号経路は遮断され、出力に影響を与えない。また、ＡＭゲート３５が開放されている期間は図３（ｅ）のようにコンデンサ３６によってＡＭゲート３５開放前の値が保持される。
【００４１】
以上のとおり、ＡＭ復調信号からパルス性雑音に起因する雑音を除去することができる。ＦＭ帯の受信部の一部回路をパルス性雑音を除去する雑音検出回路として用い、雑音検出専用の回路を新たに付加することなく雑音検出回路を合理化してＩＣ製造コストを削減できる。
【産業上の利用可能性】
【００４２】
本発明に係るラジオ受信機は、ＡＭ帯の放送局信号を受信時のパルス性雑音を除去する雑音検出回路としてＦＭ帯の受信部の一部回路を用い、ＡＭ／ＦＭ帯の受信部を備えたラジオ受信機を構成する際に、雑音検出専用の回路を新たに付加することなく雑音除去回路を構成でき、このことから雑音検出回路を合理化してＩＣ製造コストを削減することができ、ＡＭ帯の受信信号に混入する雑音を検出および除去するラジオ受信機に有用である。
【図面の簡単な説明】
【００４３】
【図１】本発明の実施の形態におけるラジオ受信機の基本構成を示すブロック図
【図２】本実施の形態におけるラジオ受信機に用いる雑音除去回路の概略構成を示すブロック図
【図３】パルス性雑音除去回路における雑音除去時の各出力信号（ａ）〜（ｅ）を示す波形図
【図４】従来の雑音除去回路を備えたＡＭラジオ受信機の基本構成を示すブロック図
【符号の説明】
【００４４】
１  アンテナ
２  局部発振器
３  水晶発振器
１２，２２  ＲＦ増幅器
１３，２３  第１混合器
１４，２４  第１帯域通過フィルタ
１５，２５  第２混合器
１６，２６  第２帯域通過フィルタ
１７  中間周波増幅器
１８  ＡＭ検波器
１９  ＡＭ出力端子
２７  中間周波増幅器／振幅制限回路
２８  ＦＭ検波器
２９  ＦＭ出力端子
３１  第１スイッチ
３２  第２スイッチ
３３  ゲート信号生成回路
３４  ゲート制御回路
３５  ＡＭゲート
３６  コンデンサ
４１  エンベロープ検波器
４２  ＨＰＦ
【図１】
2006191430.tif 000003
【図２】
2006191430.tif 000004
【図３】
2006191430.tif 000005
【図４】
2006191430.tif 000006